(57)【要約】【課題】液晶プロジェクタなどの投射装置において、自動フォーカス調整の時間短縮や精度の向上を図る。【解決手段】フォーカス調整及びズーム調整が可能な投射レンズ２０を備え、この投射レンズ２０を介して、スクリーンＳ上に画像を投射する投射装置１００であって、投射レンズ２０を介して、スクリーンＳ上にフォーカスパターンを投射するフォーカスパターン投射部４４と、スクリーンＳ上に投射されたフォーカスパターンを撮像するカメラ３０と、カメラ３０の撮像イメージを分析しつつ、投射レンズ２０のフォーカス調整を自動的に行うオートフォーカス制御部４１とを備え、フォーカスパターン投射部４４が、投射レンズ２０のズーム調整位置に応じて、フォーカスパターンを変更するように構成される。【選択図】      図１
2004205681.tif 000002
【特許請求の範囲】
【請求項１】
フォーカス調整及びズーム調整が可能な投射レンズを備え、この投射レンズを介して、スクリーン上に画像を投射する投射装置であって、
前記投射レンズを介して、前記スクリーン上にフォーカスパターンを投射するフォーカスパターン投射部と、
前記スクリーン上に投射されたフォーカスパターンを撮像するカメラと、
前記カメラの撮像イメージを分析しつつ、前記投射レンズのフォーカス調整を自動的に行うオートフォーカス制御部とを備え、
前記フォーカスパターン投射部が、前記投射レンズのズーム調整位置に応じて、フォーカスパターンを変更することを特徴とする投射装置。
【請求項２】
前記オートフォーカス制御部が、前記撮像イメージの高周波成分が最大となるように、前記投射レンズのフォーカス調整を行い、
前記フォーカスパターン投射部が、前記投射レンズのフォーカス調整位置に対する前記撮像イメージの高周波成分特性が適正となるように、前記投射レンズのズーム調整位置に応じて、フォーカスパターンを変更することを特徴とする請求項１記載の投射装置。
【請求項３】
前記フォーカスパターン投射部が、複数のフォーカスパターンを有し、その中から前記投射レンズのズーム調整位置に適合したフォーカスパターンを選択することを特徴とする請求項１又は２記載の投射装置。
【請求項４】
前記フォーカスパターン投射部が、前記投射レンズのズーム調整位置に適合したフォーカスパターンを生成することを特徴とする請求項１又は２記載の投射装置。
【請求項５】
前記オートフォーカス制御部が、前記投射レンズのフォーカス調整時に、前記投射レンズのズーム調整を禁止することを特徴とする請求項１〜４のいずれかに記載の投射装置。
【請求項６】
フォーカス調整及びズーム調整が可能な投射レンズを備え、この投射レンズを介して、スクリーン上に画像を投射する投射装置のフォーカス調整方法であって、
前記投射レンズのズーム調整位置に応じて、フォーカスパターンを選択又は生成し、
前記投射レンズを介して、前記スクリーン上にフォーカスパターンを投射し、
前記スクリーン上に投射されたフォーカスパターンをカメラで撮像し、
前記カメラの撮像イメージを分析しつつ、前記投射レンズのフォーカス調整を自動的に行う
ことを特徴とする投射装置のフォーカス調整方法。
【発明の詳細な説明】
【０００１】
【発明の属する技術分野】
本発明は、投射レンズを介して、スクリーン上に画像を投射する液晶プロジェクタなどの投射装置に関し、特に、投射レンズのフォーカス調整を自動的に行うことができる投射装置及びそのフォーカス調整方法に関する。
【０００２】
【従来の技術】
近年、スクリーン上に投射したフォーカスパターンをカメラで撮像するとともに、その撮像イメージを分析しながら、投射レンズのフォーカス調整を自動的に行う投射装置及びそのフォーカス調整方法が提案されている（例えば、特許文献１参照。）。
【０００３】
特許文献１に示されるフォーカス調整方法は、上記撮像イメージの所定信号成分が、スクリーン上におけるフォーカスパターンの合焦状態に応じて変化することを利用したものであり、例えば、上記撮像イメージの高周波成分を検出しつつ、この高周波成分が最大となるように投射レンズをフォーカス調整することにより、スクリーン上のフォーカスパターンを合焦させる。
【０００４】
以下、上記フォーカス調整方法の具体的な内容について、図面を参照して説明する。図５は、投射レンズのフォーカス調整位置に対する撮像イメージの高周波成分特性を示す図である。
この図に示すように、投射レンズのフォーカス調整位置に対する撮像イメージの高周波成分特性は、許容投射距離範囲内であれば山形となり、高周波成分が最大になる点、すなわち、高周波成分特性の頂点にフォーカ調整位置が合ったとき、フォーカスが最良となる。
【０００５】
上記高周波成分特性における頂点の検索処理には、通常、現在のフォーカス調整位置に対して頂点がどちらの方向（近点方向又は遠点方向）にあるかを判定する検索方向決め処理と、高周波成分の最大値を検出する最大値検出処理とが含まれる。
【０００６】
検索方向決め処理では、図５に示すように、現在のフォーカス調整位置Ｓ１の高周波成分レベルＬ１と、この位置Ｓ１から所定距離ΔＳだけ離れたフォーカス調整位置Ｓ２の高周波成分レベルＬ２とを比較し、Ｌ１＞Ｌ２であれば、頂点は近点側（図５の左方向）にあり、Ｌ１＜Ｌ２であれば、頂点は遠点側（図５の右方向）にあると判定する。このとき、高周波成分特性に平坦な部分があると、フォーカス調整機構の動作量（ΔＳ）が大きくなり、検索方向の判定に時間がかかってしまう。
【０００７】
また、最大値検出処理では、検索方向決め処理で判定した方向にフォーカス調整機構を動作させながら、高周波成分の最大値を検出する。このとき、高周波成分特性の頂点近傍に平坦な部分があると、ノイズなどによって頂点の特定が難しくなり、フォーカス調整精度が低下してしまう。つまり、高周波成分特性の頂点近傍に平坦な部分があると、頂点以外の部分がノイズによって最大値になり易くなるため、高周波成分特性の頂点を誤認し、フォーカス調整に大きな誤差を生じる可能性がある。
【０００８】
したがって、スクリーン上に投射したフォーカスパターンをカメラで撮像し、その撮像イメージに含まれる所定信号成分にもとづいて、投射レンズを自動的にフォーカス調整する場合は、その所定信号成分特性に平坦な部分が生じないように、フォーカスパターンの形状や大きさを設定することが要求される。
【０００９】
【特許文献１】
特開２０００−２８９０１号公報（第５頁、第３図）
【００１０】
【発明が解決しようとする課題】
しかしながら、液晶プロジェクタなどの投射装置は、通常、投射画面の大きさを調整するために、ズーム調整機構を備えているため、そのズーム調整位置に応じて、カメラが捉えるフォーカスパターンの大きさが変わり、前述した所定信号成分特性が変化するという問題がある。
【００１１】
つまり、従来の投射装置では、図７（ａ）に示すように、投射レンズのズーム比を大きくすると、カメラが撮像したイメージ内の投射範囲及びフォーカスパターンが大きくなり、所定信号成分が低域にシフトするため、所定信号成分特性が図８（ａ）のように変化し、その頂点部分が平坦になる。そのため、前述したように、ノイズなどによって頂点の特定が難しくなり、フォーカス調整精度が低下してしまう。
【００１２】
また、図７（ｂ）に示すように、投射レンズのズーム比を小さくすると、カメラが撮像したイメージ内の投射範囲及びフォーカスパターンが小さくなり、所定信号成分が高域にシフトするため、所定信号成分特性が図８（ｂ）のように変化し、その山すそ部分が平坦になる。そのため、前述したように、検索方向決めにおけるフォーカス調整機構の動作量が大きくなり、検索方向の判定に時間がかかってしまう。
【００１３】
本発明は、上記の事情にかんがみなされたものであり、スクリーン上に投射したフォーカスパターンをカメラで撮像し、その撮像イメージを分析しつつ、投射レンズのフォーカス調整を自動的に行うものでありながら、投射レンズのズーム調整位置に応じて、フォーカスパターンを変更することにより、投射レンズのフォーカス調整位置に対する撮像イメージの所定信号成分特性を、投射レンズのズーム調整位置にかかわらず常に適正なものとし、自動フォーカス調整の時間短縮や精度の向上を図ることができる投射装置及びそのフォーカス調整方法の提供を目的とする。
【００１４】
【課題を解決するための手段】
上記目的を達成するため本発明の投射装置は、フォーカス調整及びズーム調整が可能な投射レンズを備え、この投射レンズを介して、スクリーン上に画像を投射する投射装置であって、前記投射レンズを介して、前記スクリーン上にフォーカスパターンを投射するフォーカスパターン投射部と、前記スクリーン上に投射されたフォーカスパターンを撮像するカメラと、前記カメラの撮像イメージを分析しつつ、前記投射レンズのフォーカス調整を自動的に行うオートフォーカス制御部とを備え、前記フォーカスパターン投射部が、前記投射レンズのズーム調整位置に応じて、フォーカスパターンを変更する構成としてある。
【００１５】
投射装置をこのように構成すれば、投射レンズのズーム調整位置に応じて、フォーカスパターンを変更することにより、投射レンズのフォーカス調整位置に対する撮像イメージの所定信号成分特性を、投射レンズのズーム調整位置にかかわらず常に適正なものとできる。
これにより、所定信号成分特性の頂点検索において、検索方向決めを迅速に行うことができるだけでなく、ノイズによる頂点の誤認を回避することができ、その結果、自動フォーカス調整の時間短縮や精度の向上を図ることが可能になる。
【００１６】
また、本発明の投射装置は、前記オートフォーカス制御部が、前記撮像イメージの高周波成分が最大となるように、前記投射レンズのフォーカス調整を行い、前記フォーカスパターン投射部が、前記投射レンズのフォーカス調整位置に対する前記撮像イメージの高周波成分特性が適正となるように、前記投射レンズのズーム調整位置に応じて、フォーカスパターンを変更する構成としてある。
投射装置をこのように構成すれば、撮像イメージの高周波成分が最大となるように、投射レンズのフォーカス調整を行うにあたり、投射レンズのフォーカス調整位置に対する撮像イメージの高周波成分特性を、投射レンズのズーム調整位置にかかわらず常に適正なものとし、自動フォーカス調整の時間短縮や精度の向上を図ることができる。
【００１７】
また、本発明の投射装置は、前記フォーカスパターン投射部が、複数のフォーカスパターンを有し、その中から前記投射レンズのズーム調整位置に適合したフォーカスパターンを選択する構成としてある。
投射装置をこのように構成すれば、ズーム調整に応じてフォーカスパターンを生成する場合に比べ、フォーカスパターンの変更処理を簡略化することが可能になる。
【００１８】
また、本発明の投射装置は、前記フォーカスパターン投射部が、前記投射レンズのズーム調整位置に適合したフォーカスパターンを生成する構成としてある。投射装置をこのように構成すれば、ズーム調整位置に応じてフォーカスパターンの大きさを無段階状に変化させるなど、きわめて精度の高いパターン変更が可能になる。
【００１９】
また、本発明の投射装置は、前記オートフォーカス制御部が、前記投射レンズのフォーカス調整時に、前記投射レンズのズーム調整を禁止する構成としてある。
投射装置をこのように構成すれば、自動フォーカス調整中に誤ってズーム調整操作が行われても、問題なく自動フォーカス調整を続行することができる。
【００２０】
また、上記目的を達成するため本発明における投射装置のフォーカス調整方法は、フォーカス調整及びズーム調整が可能な投射レンズを備え、この投射レンズを介して、スクリーン上に画像を投射する投射装置のフォーカス調整方法であって、前記投射レンズのズーム調整位置に応じて、フォーカスパターンを選択又は生成し、前記投射レンズを介して、前記スクリーン上にフォーカスパターンを投射し、前記スクリーン上に投射されたフォーカスパターンをカメラで撮像し、前記カメラの撮像イメージを分析しつつ、前記投射レンズのフォーカス調整を自動的に行う方法としてある。
投射装置のフォーカス調整方法をこのような方法にすれば、投射レンズのフォーカス調整位置に対する撮像イメージの所定信号成分特性を、投射レンズのズーム調整位置にかかわらず常に適正なものとし、自動フォーカス調整の時間短縮や精度の向上を図ることができる。
【００２１】
【発明の実施の形態】
以下、本発明の実施形態について、図面を参照して説明する。
［第一実施形態］
まず、本発明の第一実施形態について、図１〜図４を参照して説明する。
図１は、第一実施形態における投射装置及びスクリーンの斜視図、図２は、第一実施形態における投射装置の構成を示すブロック図である。
これらの図に示すように、投射装置１００は、投射回路１０、投射レンズ２０、カメラ３０、制御部４０などを備えて構成されている。
【００２２】
投射回路１０は、外部からの投射信号又は画像メモリ１１に記憶されたフォーカスパターンデータを、切替回路１２を介して入力する。外部からの投射信号は、パソコンなどが出力するＲＧＢ信号やビデオ信号であり、フォーカスパターンデータは、制御部４０が画像メモリ１１に書き込んだ画像データである。そして、投射回路１０は、入力した投射信号又はフォーカスパターンデータを、液晶パネルなどの画像形成デバイス上に画像形成し、これが投射レンズ２０を介してスクリーンＳ上に投射される。
【００２３】
投射レンズ２０は、フォーカス調整機構及びズーム調整機構を備える。フォーカス調整機構を構成するフォーカスレンズ駆動モータ２１は、フォーカスレンズ駆動回路２２によって駆動され、投射レンズ２０のフォーカスレンズ（図示せず）を移動させる。また、フォーカスレンズの移動位置は、フォーカスレンズ位置センサ２３によって検出され、フォーカスレンズ位置検出回路２４を介して制御部４０に入力される。
【００２４】
一方、ズーム調整機構を構成するズームレンズ駆動モータ２５は、ズームレンズ駆動回路２６によって駆動され、投射レンズ２０のズームレンズ（図示せず）を移動させる。また、ズームレンズの移動位置は、ズームレンズ位置センサ２７によって検出され、ズームレンズ位置検出回路２８を介して制御部４０に入力される。
【００２５】
カメラ３０は、ＣＣＤやＣＭＯＳなどのイメージセンサを備えて構成され、スクリーンＳ上に投射されたフォーカスパターンを、制御部４０からの撮像指示信号に応じて撮像する。ここで撮像された撮像イメージデータは、高周波成分検出回路３１で高周波成分信号に変換され、制御部４０に入力される。つまり、撮像イメージに含まれる高周波成分は、スクリーンＳ上におけるフォーカスパターンの合焦状態に応じて変化し、これをもとに後述する自動フォーカス調整が行われる。
【００２６】
制御部４０は、ハードウエアとしてＣＰＵ、ＲＯＭ、ＲＡＭなどを備えており、ＲＯＭに書き込まれるプログラムによって、オートフォーカス制御部４１、切替部４２、４３、フォーカスパターン投射部４４などを構成する。
オートフォーカス制御部４１は、パソコンやリモコンからのオートフォーカス開始信号に応じて、切替回路１２、切替部４２、４３、フォーカスパターン投射部４４などにオートフォーカスモード信号を出力するとともに、高周波成分検出回路３１からの高周波成分信号を分析しつつ、投射レンズ２０のフォーカス調整を自動的に行う。
【００２７】
切替部４２は、フォーカスレンズ駆動回路２２への出力信号を切り替える部分であり、通常モードでは、パソコンやリモコンからのフォーカスレンズ駆動信号をフォーカスレンズ駆動回路２２へ出力し、オートフォーカスモードでは、オートフォーカス制御部４１からのフォーカスレンズ駆動信号をフォーカスレンズ駆動回路２２へ出力するように切り替え動作される。
【００２８】
切替部４３は、ズームレンズ駆動回路２６への信号出力をＯＮ／ＯＦＦする部分であり、通常モードでは、パソコンやリモコンからのズームレンズ駆動信号をズームレンズ駆動回路２６へ出力し、オートフォーカスモードでは、それを禁止するように切り替え動作される。
【００２９】
第一実施形態のフォーカスパターン投射部４４は、パターンデータ部４５と、フォーカスパターン選択部４６と、切替部４７とを備えている。パターンデータ部４５は、大きさが異なるＮ個のフォーカスパターンデータを記憶している。フォーカスパターン選択部４６は、ズームレンズ位置検出回路２８から入力したズームレンズ位置検出信号にもとづいて、フォーカスパターンデータを選択する部分であり、パターン選択信号は、切替部４７の切り替え信号として出力される。そして、切替部４７は、フォーカスパターン選択部４６からのパターン選択信号に応じて、パターンデータ部４５から対応するフォーカスパターンデータを読み出し、画像メモリ１１に書き込む。
【００３０】
つまり、第一実施形態のフォーカスパターン投射部４４は、投射レンズ２０のズーム調整位置にかかわらず、スクリーンＳ上に投射されるフォーカスパターンの大きさがほぼ同じになるようにフォーカスパターンデータを選択する。これにより、投射レンズ２０のフォーカス調整位置に対する撮像イメージの高周波成分特性を、投射レンズ２０のズーム調整位置にかかわらず常に適正なものとできる。
【００３１】
次に、投射装置１００の動作について、図３及び図４を参照して説明する。
図３は、第一実施形態における投射装置の動作ステップ（オートフォーカスモード）を示すフローチャート、図４は、第一実施形態の投射装置においてズーム比を変化させた場合の撮像イメージを示す説明図である。
【００３２】
外部からオートフォーカス開始信号が入力されると、制御部４０がオートフォーカスモードとなり、図３に示す動作ステップによって投射レンズ２０の自動フォーカス調整が実行される。オートフォーカスモードの動作ステップは、図３に示すように、オートフォーカス開始処理を行うステップ（Ｓ１０１）と、投射レンズ２０のズーム調整位置に応じて、フォーカスパターンデータを選択するステップ（Ｓ１０２）と、選択したフォーカスパターンをスクリーンＳに投射するステップ（Ｓ１０３）と、スクリーンＳ上に投射されたフォーカスパターンをカメラ３０で撮像するステップ（Ｓ１０４）と、撮像イメージの高周波成分信号を読み込むステップ（Ｓ１０５）と、投射レンズ２０のフォーカスレンズを高周波成分信号が最大となる位置に合せるステップ（Ｓ１０６）と、フォーカス調整の終了を判断するステップ（Ｓ１０７）と、オートフォーカス終了処理を行うステップ（Ｓ１０８）とから構成される。以下、各ステップを図２の構成に沿って説明する。
【００３３】
まず、オートフォーカス制御部４１からオートフォーカスモード信号を出力し、切替回路１２及び切替部４２、４３の切り替え行う。これにより、オートフォーカス制御部４１によるフォーカス調整が優先されるとともに、外部信号によるズーム調整が禁止される。（Ｓ１０１）
【００３４】
次に、オートフォーカスモード信号によりフォーカスパターン選択部４６を動作させ、ズームレンズ位置検出回路２８の出力を元に、ズーム比に応じたフォーカスパターンデータを選択し、切替部４７へパターン選択信号を出力する。切替部４７は、パターンデータ部４５から対応するフォーカスパターンデータを読み出し、これを画像メモリ１１に書き込む。（Ｓ１０２）
【００３５】
切替回路１２の切り替えにより、投射回路１０へは画像メモリ１１のフォーカスパターンデータが出力され、このフォーカスパターンが投射レンズ２０を介してスクリーンＳに投射される。（Ｓ１０３）
このとき、スクリーンＳに投射されたフォーカスパターンは、図４に示すように、投射レンズ２０のズーム調整位置にかかわらず、ほぼ同じ大きさとなる。
【００３６】
スクリーンＳにフォーカスパターンが投射されると、オートフォーカス制御部４１が撮像指示信号を出力する。カメラ３０は、撮像指示信号に応じて、スクリーンＳに投射されたフォーカスパターンを撮像し、その撮像イメージデータを高周波成分検出回路３１に出力する。（Ｓ１０４）
【００３７】
オートフォーカス制御部４１は、高周波成分検出回路３１から撮像イメージの高周波成分信号を入力し（Ｓ１０５）、この高周波成分が最大になる方向にフォーカスレンズを移動し、最終的に高周波成分が最大になる位置にフォーカスレンズを合せる。その間、オートフォーカス制御部４１では、フォーカスレンズ位置検出回路２４の出力を監視しながらフォーカスレンズの移動制御を行う。（Ｓ１０６）
【００３８】
上記ステップにおける高周波成分特性は、図５に示すような山形となり、その頂点を目標としてフォーカレンズの移動が行われる。高周波成分特性における頂点の検索処理には、検索方向決め処理と最大値検出処理とが含まれ、検索方向決め処理では、図５に示すように、現在のフォーカス調整位置Ｓ１の高周波成分レベルＬ１と、この位置Ｓ１から所定距離ΔＳだけ離れたフォーカス調整位置Ｓ２の高周波成分レベルＬ２とを比較し、Ｌ１＞Ｌ２であれば、頂点は近点側にあり、Ｌ１＜Ｌ２であれば、頂点は遠点側にあると判定する。このとき、高周波成分特性に平坦な部分があると、フォーカス調整機構の動作量（ΔＳ）が大きくなり、検索方向の判定に時間がかかってしまうが、本実施形態における高周波成分特性は、フォーカスパターンの選択により、投射レンズ２０のズーム調整位置にかかわらず常に適正化されるため、検索方向の判定を迅速に行うことが可能になる。
【００３９】
また、最大値検出処理では、検索方向決め処理で判定した方向にフォーカス調整機構を動作させながら、高周波成分の最大値を検出する。このとき、高周波成分特性の頂点近傍に平坦な部分があると、ノイズなどによって頂点の特定が難しくなり、フォーカス調整精度が低下してしまうが、本実施形態における高周波成分特性は、フォーカスパターンの選択により、投射レンズ２０のズーム調整位置にかかわらず常に適正化されるため、ノイズによるフォーカス調整精度の低下を回避することが可能になる。
【００４０】
そして、フォーカス調整の終了を判断すると（Ｓ１０７）、オートフォーカス制御部４１からのオートフォーカスモード信号出力を停止することにより、切替回路１２及び切替部４２、４３を通常モード側へ切り替えるとともに、オートフォーカス終了信号を出力してオートフォーカスモードを終了する。（Ｓ１０８）
【００４１】
上記のように構成された第一実施形態の投射装置１００によれば、スクリーンＳ上に投射したフォーカスパターンをカメラ３０で撮像し、その撮像イメージを分析しつつ、投射レンズ２０のフォーカス調整を自動的に行うものでありながら、投射レンズ２０のズーム調整位置に応じて、フォーカスパターンを変更することにより、投射レンズ２０のフォーカス調整位置に対する撮像イメージの高周波成分特性を、投射レンズ２０のズーム調整位置にかかわらず常に適正なものとできる。これにより、高周波成分特性の頂点検索において、検索方向決めを迅速に行うことができるだけでなく、ノイズによる頂点の誤認を回避することができ、その結果、自動フォーカス調整の時間短縮や精度の向上を図ることが可能になる。
【００４２】
［第二実施形態］
次に、本発明の第二実施形態について、図６を参照して説明する。ただし、第一実施形態と共通する部分は、同じ符号を付け、第一実施形態の説明を援用する。
図６は、第二実施形態における投射装置の構成を示すブロック図である。
この図に示すように、第二実施形態の投射装置１００は、フォーカスパターン投射部４４にフォーカスパターン生成部４８を備える点が第一実施形態と相違する。
【００４３】
フォーカスパターン生成部４８は、第一実施形態のように、複数のフォーカスパターンデータを予め持つことなく、ズームレンズ位置検出回路２８からのズームレンズ検出位置信号を元に、計算処理によってフォーカスパターンデータを生成する。そのため、ズーム調整位置に応じてフォーカスパターンの大きさを無段階状に変化させるなど、きわめて精度の高いパターン変更が可能になる。
【００４４】
なお、本発明は、前記実施形態に限定されるものではない。例えば、前記実施形態のフォーカスパターン投射部は、投射レンズのフォーカス調整位置に対する撮像イメージの高周波成分特性が適正となるように、投射レンズのズーム調整位置に応じて、フォーカスパターンの大きさを変更しているが、投射レンズのズーム調整位置に応じて、フォーカスパターンの形状（内容）を変更するものや、投射レンズのズーム調整位置に応じて、フォーカスパターンの大きさ及び形状（内容）を変更するものも本発明に含まれる。
【００４５】
【発明の効果】
以上のように、本発明によれば、スクリーン上に投射したフォーカスパターンをカメラで撮像し、その撮像イメージを分析しつつ、投射レンズのフォーカス調整を自動的に行うものでありながら、投射レンズのズーム調整位置に応じて、フォーカスパターンを変更することにより、投射レンズのフォーカス調整位置に対する撮像イメージの所定信号成分特性を、投射レンズのズーム調整位置にかかわらず常に適正なものとし、自動フォーカス調整の時間短縮や精度の向上を図ることができる。
【図面の簡単な説明】
【図１】第一実施形態における投射装置及びスクリーンの斜視図である。
【図２】第一実施形態における投射装置の構成を示すブロック図である。
【図３】第一実施形態における投射装置の動作ステップ（オートフォーカスモード）を示すフローチャートである。
【図４】第一実施形態の投射装置においてズーム比を変化させた場合の撮像イメージを示す説明図である。
【図５】投射レンズのフォーカス調整位置に対する撮像イメージの高周波成分特性を示す図である。
【図６】第二実施形態における投射装置の構成を示すブロック図である。
【図７】従来の投射装置においてズーム比を変化させた場合の撮像イメージを示す説明図である。
【図８】従来の投射装置においてズーム比を変化させた場合の高周波成分特性を示す説明図である。
【符号の説明】
１００  投射装置
１０  投射回路
２０  投射レンズ
２１  フォーカスレンズ駆動モータ
２３  フォーカスレンズ位置センサ
２５  ズームレンズ駆動モータ
２７  ズームレンズ位置センサ
３０  カメラ
３１  高周波成分検出回路
４０  制御部
４１  オートフォーカス制御部
４４  フォーカスパターン投射部
４５  パターンデータ部
４６  フォーカスパターン選択部
４８  フォーカスパターン生成部
Ｓ  スクリーン
【図１】
2004205681.tif 000003
【図２】
2004205681.tif 000004
【図３】
2004205681.tif 000005
【図４】
2004205681.tif 000006
【図５】
2004205681.tif 000007
【図６】
2004205681.tif 000008
【図７】
2004205681.tif 000009
【図８】
2004205681.tif 000010